(57)【要約】  本発明は、処理されることとなるコンテナ（２）を圧力パッケージングするための方法およびデバイスに関し、コンテナ（２）は、コンテナ（２）のヘッド・スペース（１３）の上方に配置されているストッパー（３）によってシールされており、前記方法は、ストッパー（３）の上方に密封してキャップ（４）を係合させるステップであって、前記キャップ（４）は、穿孔手段（５）およびシーリング手段（７）を含む、ステップと；穿孔手段（５）を低下させることによって、ストッパー（３）を通る孔部（２３）を穿孔するステップと；ストッパー（３）から穿孔手段（５）を持ち上げるステップと；前記孔部（２３）を介してヘッド・スペース（１３）の中へ流体（２４）を導入するステップと；溶融式シーリング手段（７）を低下させることによって、ストッパー（３）の材料を溶融させることによって、前記孔部（２３）をシールするステップと；溶融式シーリング手段（７）を持ち上げるステップと；キャップ（４）を除去するステップとを含む。
2019536700.tif 000002
【特許請求の範囲】
【請求項１】
処理されることとなるコンテナ（２）を圧力パッケージングするための方法であって、前記処理されることとなるコンテナ（２）は、内容物（１２）によって少なくとも部分的に充填されており、また、前記コンテナ（２）のヘッド・スペース（１３）の上方に配置されているストッパー（３）によって緊密な様式で閉栓されている、方法において、
前記方法は、
−  前記ストッパー（３）の外側表面の上方に密封してキャップ（４）を係合させるステップであって、前記キャップ（４）は、その内側に、穿孔手段（５）、流体注入手段（６）、および、溶融式シーリング手段（７）を含む、ステップと、
−  前記穿孔手段（５）を前記ストッパー（３）に向けて低下させることによって、前記ストッパー（３）を通る孔部（２３）を穿孔するステップと、
−  前記ストッパー（３）の外側に前記穿孔手段（５）を上昇させるステップと、
−  前記流体注入手段（６）を使用して、前記ストッパー（３）を通って配置されている前記孔部（２３）を通して、前記コンテナ（２）の前記ヘッド・スペース（１３）の中へ流体（２４）を導入するステップであって、前記コンテナ（２）の前記ヘッド・スペース（１３）の中に、少なくとも大気圧力に等しい残留圧力を取得するようになっている、ステップと、
−  前記溶融式シーリング手段（７）を前記ストッパー（３）に向けて低下させることによって、前記ストッパー（３）の材料の溶融によって、前記ストッパー（３）の前記孔部（２３）をシールするステップと、
−  前記溶融式シーリング手段（７）を上昇させるステップと、
−  前記キャップ（４）を除去するステップと
を含むことを特徴とする、方法。
【請求項２】
前記ヘッド・スペース（１３）の中へ流体を導入するための前記ステップは、初期フェーズにおいて第１の圧力値で流体（２４）を導入し、次いで、最終フェーズにおいて前記第１の圧力値を下回る第２の圧力値で流体（２４）を導入することを含むことを特徴とする、請求項１に記載の方法。
【請求項３】
前記方法は、前記キャップ（４）の中に配置されている光学的手段または誘導的手段を使用して、前記穿孔手段（５）を上昇させる前記ステップの後に、前記穿孔手段（５）の完全性の検証のためのステップをさらに含むことを特徴とする、請求項１または２に記載の方法。
【請求項４】
前記方法は、前記キャップ（４）の内側に配置されている光学カメラを使用して、前記溶融式シーリング手段（７）による前記孔部（２３）のシーリング品質の検証のためのステップをさらに含むことを特徴とする、請求項１から３のいずれか一項に記載の方法。
【請求項５】
７３℃を上回る温度における高温充填のケースでは、前記流体（２４）は、４５℃を下回る温度への前記内容物（１２）の冷却の後に、前記ヘッド・スペース（１３）の中へ導入されることを特徴とする、請求項１から４のいずれか一項に記載の方法。
【請求項６】
前記流体（２４）の導入圧力は、１．０１ｂａｒから２．５ｂａｒの間の残留圧力、好ましくは、１．０１ｂａｒから１．４ｂａｒの間の残留圧力を、前記コンテナ（２）の中に発生させるように構成されていることを特徴とする、請求項１から５のいずれか一項に記載の方法。
【請求項７】
前記流体（２４）は、とりわけ、ガス状の形態の、窒素などのような不活性の無菌ガスであることを特徴とする、請求項１から６のいずれか一項に記載の方法。
【請求項８】
前記方法は、前記ストッパー（３）の上方に前記キャップ（４）を係合させるための前記ステップの前、間、および／または後に、前記キャップ（４）と前記ストッパー（３）との間に、無菌流体、好ましくは、不活性ガス、より好ましくは、窒素を循環させるためのステップをさらに含むことを特徴とする、請求項１から７のいずれか一項に記載の方法。
【請求項９】
前記方法は、前記ストッパー（３）の上方に前記キャップ（４）を係合させるための前記ステップの前に、時間厳守の加熱、化学的な殺菌、蒸気、パルス光の放射のうちの少なくとも１つによって、前記ストッパー（３）の前記外側表面を殺菌するためのステップをさらに含むことを特徴とする、請求項１から８のいずれか一項に記載の方法。
【請求項１０】
処理されることとなるコンテナ（２）を圧力パッケージングするためのデバイス（１）であって、前記処理されることとなるコンテナ（２）は、内容物（１２）によって少なくとも部分的に充填されており、また、前記コンテナ（２）のヘッド・スペース（１３）の上方に配置されているストッパー（３）によって緊密な様式で閉栓されており、前記デバイス（１）は、キャップ（４）を含み、前記キャップ（４）は、その内側に、穿孔手段（５）、流体注入手段（６）、および、溶融式シーリング手段（７）を含み、前記デバイス（１）は、請求項１から９のいずれか一項に記載の圧力パッケージング方法を実施するように構成されている、デバイス（１）。
【請求項１１】
前記穿孔手段（５）および前記溶融式シーリング手段（７）は、前記キャップ（４）の中に配置されており、前記キャップ（４）が前記ストッパー（３）の上方に係合されているときに、前記ストッパー（３）の材料の中に位置付けされた所定のポイントにおいて、または、前記ストッパー（３）の材料の上方において、それらのそれぞれの移動軸線が交わるようになっていることを特徴とする、請求項１０に記載のデバイス（１）。
【請求項１２】
前記穿孔手段（５）は、線形に移動するように適合されているニードル（１５）を含むことを特徴とする、請求項１０または１１に記載のデバイス（１）。
【請求項１３】
前記ニードル（１５）は、中実であり、円錐形状の尖った端部を有していることを特徴とする、請求項１２に記載のデバイス（１）。
【請求項１４】
前記ニードル（１５）は、加熱手段によって加熱されることを特徴とする、請求項１２または１３に記載のデバイス（１）。
【請求項１５】
前記溶融式シーリング手段（７）は、線形に移動するように適合されている加熱カニューレ（１９）を含むことを特徴とする、請求項１０から１４のいずれか一項に記載のデバイス（１）。
【請求項１６】
前記流体注入手段（６）は、少なくとも１つの流体入口部を含み、前記少なくとも１つの流体入口部は、加圧流体を受け入れ、前記ストッパー（３）の上方に密封して係合されている前記キャップ（４）の中へ前記加圧流体を注入するように適合されていることを特徴とする、請求項１０から１５のいずれか一項に記載のデバイス（１）。
【請求項１７】
請求項１０から１６のいずれか一項に記載の少なくとも１つの圧力パッケージング・デバイス（１）を含む、圧力パッケージングするためのマシンであって、前記圧力パッケージング・マシンは、前記コンテナを適切な位置に維持するための手段（９）をさらに含み、少なくとも１つの圧力パッケージング・デバイス（１）の前記キャップ（４）は、前記コンテナを適切な位置に維持するための前記手段（９）に対して、アイドル位置と係合位置との間で垂直方向に移動可能であり、前記アイドル位置は、前記コンテナを適切な位置に維持するための前記手段（９）から所定の距離にあり、前記係合位置では、前記キャップ（４）が、前記処理されることとなるコンテナ（２）の前記ストッパー（３）の上方に密封して係合されている、マシン。
【発明の詳細な説明】
【技術分野】
【０００１】
本発明は、ボトリング分野に関し、より具体的には、処理されることとなるコンテナを圧力パッケージングするための方法およびデバイスであって、処理されることとなるコンテナは、内容物によって少なくとも部分的に充填され、また、コンテナのヘッド・スペースの上方に配置されているストッパーによって緊密な様式で閉栓されている、方法およびデバイスに関し、また、関連の圧力パッケージング・マシンに関する。
【背景技術】
【０００２】
以降では、内容物は、コールド・チェーンの外側で販売されることが意図されるコンテナの中の液体または半液体の食品、たとえば、酸性のフルーツ・ジュースなどを表しており、本発明の意味におけるコンテナは、ポリマー材料から作製されたエンクロージャー、たとえば、ボトルなどであり、それは、公知のタイプのストッパーを設けられており、充填した後に、一般的にねじ込みによって、ボトルを密封することが意図されている。
【０００３】
液体または半液体の食料内容物は、微生物の発達に敏感であり、官能的品質は、病原体の殺菌処理がないときに、および／または、酸素が存在するときに、非常に急速に変更させられる。
【０００４】
また、公知の様式では、数秒にわたる約９０℃の高温における熱処理（瞬間殺菌法とも呼ばれる）が、ジュースなどのような、４．７を下回るｐＨを有する食料液体または食料半液体に適用される。この公知の方法では、液体は、充填する前に、特定のユニットの中で処理され、それは、無菌様式で行われなければならない。したがって、チェーンが無菌のままであるということを確実にすることが必要である。
【０００５】
この公知の充填方法は、無菌雰囲気で低温充填することからなり、コンテナおよびそのストッパーは、殺菌液体を使用して低温殺菌され、次いで、すすぎが行われ、次に、内容物が、無菌雰囲気でこのコンテナの中へ導入される。利点は、少ない材料を必要とするパッケージの使用である。その理由は、必要な機械的な特性が限られているからである。この方法は、温度変化に関係付けられる体積変化を引き起こさない。そのうえ、必要な機械的な特性は限られており、外側の審美的な形状は、より自由である。それにもかかわらず、ヘッド・スペースの中に含有されている酸素が消費され得り、次いで、真空がボトルの中に生じる。したがって、この真空に耐えるボトルを提供すること、または、この真空を補償することのいずれかが必要である。
【０００６】
この「無菌」技法は、複雑でコストのかかる設備を生じさせ、また、厳密でコストのかかるメンテナンスを生じさせる。そのうえ、品質制御は、サンプリングのみによって行われ得り、したがって、このようにパッケージングされる液体または半液体の食料内容物の殺菌に関して、システマチックな制御が存在せず、したがって、確実性は存在しない。
【０００７】
別の公知の解決策は、殺菌用液体を導入することによって、充填することと同時に殺菌するものである。殺菌用製品（それは、化学化合物である）の追加は、必ずしも、さまざまな国のすべての公衆衛生法規によって受け入れられるわけではなく、また、消費者自身は、彼らが選んだ液体または半液体の食品だけでなく、導入された残留した殺菌用製品も吸収するということに躊躇する可能性があるということが理解される。そのような防腐剤は、パッケージを開けた後の保存の間に官能的品質に対する変化を引き起こす可能性がある。
【０００８】
先行技術から公知の主な解決策の中の最後の解決策は、コンテナを高温充填することからなり、すなわち、コンテナが殺菌処理を受けることなく、高い温度に持って行かれた内容物をコンテナの中へ直接的に導入することからなる。このケースでは、内容物自身が、コンテナを殺菌する。その理由は、内容物が、病原体の破壊を可能にする温度、したがって、７３℃を上回る温度、一般的には、８５℃の温度で導入されるからである。次いで、パッケージが閉じられ、一般的に、それをひっくり返すことによって即座に撹拌され、ストッパーの内側面を含む、コンテナの内側表面のすべてを熱処理するようになっている。
【０００９】
高温閉栓のケースでは、ストッパーは、公知のタイプのストッパーであり、シングル材料から作製され、成形によって取得され、欠陥のあるストッパーの設置を回避するために設置の前に検査される。そのようなストッパーは、極めて安価である。
【００１０】
この解決策は、何かが見逃され得ることなく、それぞれのパッケージが必然的に内向きに殺菌されることを保証するので、興味深い。
【００１１】
ストッパーが安価である場合には、高温充填の欠点は、一方では温度に耐え、他方では、冷却の間の液体の体積の収縮（それは、前記コンテナの内側に真空を生成させる）に関連付けられるつぶれ現象に耐える、コンテナを必要とするということである。そのうえ、充填の間に取り込まれる空気からの酸素は、また、液体または半液体の食品成分による冷却の後に「消費され」、それは、遅れた真空を引き起こし、それは、また、コンテナの追加的な変形を引き起こす可能性がある。
【００１２】
パッケージは、したがって、機械的に強力であり、および／または、変形可能でなければならず、パッケージは、大量の材料を必要とし、また、多くの場合、このパッケージの変形に耐えるために、および／または、適当な変形による真空を補償するために、パネルを備えた特定のアーキテクチャーを必要とする。したがって、底部は、２つの位置をとることが可能であり、それは、前記真空を補償するように、真空の影響の下で内向きに変形させられる位置を含む。底部の変形は、ボトルの下方にあり、これは、ボトルが前記底部の上に設置されているときに、ボトルの安定性問題を引き起こさず、底部の中空化だけがより顕著であり、それは、下を見なければ見ることができない。そのような底部は、洗練されていなければならず、生産するのが複雑であり、明らかに過剰なコストを生じさせるということが理解される。
【００１３】
これは、また、持続可能な開発の必要性に反するものであり、それは、使用されるポリマー材料の量を減少させることを求め、それは、また、製造コストおよびリサイクルに影響を与え、したがって、最終コストに影響を与えるということが留意されるべきである。
【００１４】
それにもかかわらず、この方法は、設備およびメンテナンスの両方の観点から、最も簡単なパッケージング・ラインを必要とし、それは、検査しやすい。その理由は、主な検査は、単一のパラメーター、すなわち、内容物の温度に関係するからである。
【００１５】
他の補償解決策が実装されてきた。そのうちの１つは、たとえば、閉栓の直前に、液体窒素の液滴をヘッド・スペースの中へ導入することからなる。液体窒素は、ガス状態になり、非常に強力な体積の増加を伴い、それは、ボトルの体積を圧力下に置き、冷却が起こるときの液体の収縮体積を補償することを可能にする。最終的な状態では、室温において、バランスが見出され、窒素は、追加的な不活性化を引き起こすことができるだけである。しかし、この方法は、マスターするのに比較的に複雑であり、また、再生するのに極めて困難である。
【００１６】
方法およびコンテナの材料の進歩は、性能を改善することを可能にしてきた。それにもかかわらず、目標は（それは、本発明の目標でもある）、無菌雰囲気で低温充填するために使用されるコンテナに対して、可能な限り最小の追加重量の材料を有するボトルを使用することによって、とりわけ、高温充填を進めることができるということである。
【００１７】
また、低温充填されたコンテナの中の真空を補償することができるということも有用であり、それは、真空による変形を受ける可能性もあり、または、特に、コンテナ自身が低い機械的な強度を有している場合に、それらの機械的な強度を改善することができるということも有用であり、それは、また、本発明の目標でもある。
【００１８】
したがって、少なくとも、コンテナの中の真空を補償するための方法、および、より一般的には、とりわけ、高温充填のケースにおいて、過大圧力状態を制御するための方法を提案することが必要である。この過大圧力状態は、冷却の後に、ヘッド・スペースの体積の減少を補償することを可能にする（それは、冷却したときに数パーセントである）。また、この過大圧力状態は、時間の経過とともに、酸素消費に関係付けられる圧力の減少を補償することを可能にする。
【００１９】
圧力の減少のこれらの異なる原因は、補償が提供されないときには、または、過大加圧状態も提供されないときには、ボトルの変形を引き起こし、それを販売に不適切なものにする。また、これらの真空は、消費者による不十分な把持につながり、また、フィルムで包まれていても、パレットの中での輸送の間のコンテナの不十分な機械的な強度につながる。
【００２０】
特許出願ＦＲ２，３２２，０６２Ａ１およびＵＳ２０１５／０１２１８０７Ａ１などのような、補償する方法を提案した特許が知られており、それらは、ガス状の流体を特定の閉栓部材を通してヘッド・スペースの中へ注入することを提案している。そのようなデバイスは、閉栓部材を通してニードルを挿入すること、ニードルを通してヘッド・スペースの中へガスを注入すること、および、前記ニードルを除去することからなり、閉栓部材自身は、緊密性を保証する。特定の手段を設けられた閉栓部材が必要であるということが起こり、それは、パッケージングのコストに対して完全に法外な費用がかかる。価格に加えて、および、それに加えて、これは、いくつかの材料の存在に関連付けられる複雑な問題、品質検査の複雑性、リサイクルの困難性、および、高品質の閉栓の不確かさを生成させる。目下のケースにおいて、膜が設けられており、膜は、たとえば、液体が膜の後ろに通らないこととなるので、高温充填の間の液体のためのバリアとしての役割のみを果たすことができ、次いで、閉栓部材が穿刺され、それは、潜在的な有機体を導入し（膜の後ろを含む）、それは、コンテナの中へ移動することとなる。
【００２１】
そのうえ、特許出願ＦＲ２，３２２，０６２Ａ１およびＵＳ２０１５／０１２１８０７では、ニードルが依然として閉栓部材を通して挿入されている間に、ガス状の流体をヘッド・スペースの中へ注入することは、コンテナの中に含有されている液体をニードルの上にスプレーすることを引き起こす可能性があり、したがって、ニードルの安定性の問題を引き起こす可能性がある。追加的に、これらの特許出願では、使用される穿孔ニードルは、ベベル付き先端部を備えた中空の皮下注射ニードルであり、それは、穿孔の間に破損する可能性があり、また、ストッパーの穿孔の間に、コンテナの中にプラスチック・ストッパー廃棄物を生成させる可能性があり、それは、内容物を消費に不適切なものにすることとなる。
【００２２】
また、別のデバイスは、さらにより特異的なストッパーを使用しており、それは、特許出願ＷＯ２００９１４２５１０Ａ１に説明されている。このストッパーは、開口部を備えて作製されている。充填の後に、ヘッド・スペースは、加圧されたチャンバーの中に設置され、ストッパー・ピンが、その端部に配置されている孔部の中へ導入され、前記ストッパーは、機械的な手段によって孔部の中に固定される。そのような方法は、リズムおよび価格および検査の困難性の観点から、ならびに、実行する困難性の観点からも、完全に産業的に実用的でない。
【発明の概要】
【課題を解決するための手段】
【００２３】
本発明は、処理されることとなるコンテナを圧力パッケージングするための方法およびデバイスであって、処理されることとなるコンテナは、内容物によって少なくとも部分的に充填され、また、コンテナのヘッド・スペースの上方に配置されているストッパーによって緊密な様式で閉栓されており、前記方法は、なかでも、ストッパーの外側表面の上方に密封してキャップを係合させるステップと、穿孔手段をストッパーに向けて低下させることによって、ストッパーを通る孔部を穿孔するためのステップと、穿孔手段を上昇させるためのステップと、前記孔部を介してコンテナのヘッド・スペースの中へ流体を導入するためのステップとを含み、それは、無菌雰囲気の中で低温充填するために使用されるコンテナに対して、可能な限り最小の追加重量を伴うボトルを使用することによって、とりわけ、高温充填を進めることを可能にし、また、それは、特に、コンテナ自身が低い機械的な強度を有している場合に真空変形を経験し得る、低温充填されるコンテナの中の真空を補償することを可能にする、方法およびデバイスを提案することによって、先行技術の欠点を解決することを求めている。そのうえ、ストッパーの上方でのキャップの係合は、密封して行われており、穿孔手段は、キャップとストッパーとの間の圧力を維持しながら、流体注入ステップの前に上昇させられ得り、それは、流体注入ステップの間の穿孔手段の無菌状態を保証することを可能にする。
【００２４】
したがって、本発明は、処理されることとなるコンテナを圧力パッケージングするための方法であって、処理されることとなるコンテナは、内容物によって少なくとも部分的に充填されており、コンテナのヘッド・スペースの上方に配置されているストッパーによって緊密な様式で閉栓されている、方法において、方法は、ストッパーの外側表面の上方に密封してキャップを係合させるステップであって、前記キャップは、その内側に、穿孔手段、流体注入手段、および、溶融式シーリング手段を含む、ステップと；穿孔手段をストッパーに向けて低下させることによって、ストッパーを通る孔部を穿孔するステップと；ストッパーの外側に穿孔手段を上昇させるステップと；流体注入手段を使用して、ストッパーを通って配置されている前記孔部によって、コンテナのヘッド・スペースの中へ流体を導入するステップであって、コンテナのヘッド・スペースの中に、少なくとも大気圧力に等しい残留圧力を取得するようになっている、ステップと；溶融式シーリング手段をストッパーに向けて低下させることによって、ストッパーの材料の溶融によって、ストッパーの前記孔部をシールするステップと；溶融式シーリング手段を上昇させるステップと；キャップを除去するステップとを含むことを特徴とする、方法に関する。
【００２５】
したがって、処理されることとなるコンテナを圧力パッケージングするための前記方法は、無菌雰囲気で低温充填するために使用されるコンテナに対して、可能な限り最小の追加重量の材料を有するボトルを使用することによって、とりわけ、高温充填を進めることを可能にし、また、特に、コンテナ自身が低い機械的な強度を有している場合に真空変形を経験し得る、低温充填されるコンテナの中の真空を補償することを可能にする。
【００２６】
そのうえ、ストッパーの上方でのキャップの係合は、密封して行われており、穿孔手段は、キャップとストッパーとの間の圧力を維持しながら、流体注入ステップの前に上昇させられ得り、したがって、穿孔は、ストッパーのプラスチック材料を押し返すことのみによって、削り屑または廃棄物なしに、「クリーン」であり、流体注入の間のストッパーからの穿孔手段の除去は、また、流体の導入の間の穿孔手段の上への内容物の任意の跳ね返りを防止することを可能にし、それは、衛生状態の改善のために、内容物の表面の乱れを生成させる。
【００２７】
本発明の文脈において、および、したがって、この方法において使用されるストッパーは、従来のシングル・ピースのストッパーであり、内側膜を備えておらず、したがって、安価であり、リサイクルしやすい。しかし、本発明は、この点に限定されない。非限定的な例として、以下のストッパーは、また、本発明の範囲に入っており、本発明方法とともに使用され得る。
−  その中央部が中空にされた環状の膜（または、内側コーティングもしくはライナー）を含むストッパー、
−  中実の膜（または、中実の内側コーティングもしくはライナー）を含むストッパーであるが、穿孔およびストッパーからのニードルの連続的な除去のケースにおいて自己シーリングのために必要な最小厚さよりも小さい中央厚さを備えており、この必要な最小厚さは、０．２ｍｍを下回っている、ストッパー、
−  ０．１ｍｍから３ｍｍの間の直径を有する穿孔ニードルの除去の後に、証明済みの自己プラグ性質を有しないポリエチレン／エチレン酢酸ビニル（ＰＥ／ＥＶＡ）タイプの材料による、０．２ｍｍから０．８ｍｍの間の厚さを有する中実の膜（または、中実の内側コーティングもしくはライナー）を含むストッパー。
【００２８】
この方法は、好ましくは、内容物による高温充填のために使用されるが、内容物による低温充填のためにも使用され得る。
【００２９】
溶融式シーリング手段は、ストッパーの材料の溶融によって、穿孔手段によってストッパーの中に形成された孔部を再び閉栓することを可能にし、それは、コンテナの中の真空を補償しながら、コンテナの最終的な緊密性を保証することを可能にする。
【００３０】
したがって、コンテナは、少なくともバランスされた圧力によって、および、好ましくは、わずかな圧力の下で、内容物を含有しており、コンテナの外側の圧力と内側の圧力との差が、コンテナのつぶれを防止するようになっている。
【００３１】
本発明の特定の特徴によれば、ヘッド・スペースの中へ流体を導入するためのステップは、初期フェーズにおいて第１の圧力値で流体を導入し、次いで、最終フェーズにおいて第１の圧力値を下回る第２の圧力値で流体を導入することを含む。
【００３２】
したがって、穿孔の直後に加圧の初期フェーズにおいて圧力を大きく増加させること、および、溶融によるシーリングの直前の最終圧力を調節するために、最終フェーズにおいてより低い圧力を有することを可能にする。
【００３３】
本発明の特定の特徴によれば、方法は、キャップの中に配置されている光学的手段または誘導的手段を使用して、穿孔手段を上昇させるためのステップの後に、穿孔手段の完全性の検証のためのステップをさらに含む。光学的な手段は、光学センサーに接続されているカメラまたは光ファイバーであることが可能である。
【００３４】
したがって、光学カメラを使用して、穿孔ステップの後に穿孔手段が破損しているかまたは破損していないかを光学的に検証することを可能にし、穿孔手段の破損が検出される場合には、キャップの穿孔手段を修理し、コンテナの内容物を捨てるようになっている。
【００３５】
キャップに関してオフボードになっている光学カメラは、穿孔手段の任意の破損を検出するために、圧力パッケージング方法の終わりにおいて、コンテナの充填レベルを検査することが可能である。実際に、通常の処理の間に、内容物レベルは、所定のレベルまで減少しなければならず、一方、非穿孔およびしたがって流体の非導入のケースでは、内容物レベルは減少しないこととなる。
【００３６】
また、近接センサー・システムが、破損していない完全な穿孔手段の存在を検査することが可能であり、それは、たとえば、光電セルまたは磁気セルである。
【００３７】
本発明の特定の特徴によれば、方法は、キャップの内側に配置されている光学カメラを使用して、溶融式シーリング手段による孔部のシーリング品質の検証のためのステップをさらに含む。また、方法を実装する生産ラインの下流のステーションの上に位置付けされている光学カメラは、本発明の範囲の中にあると考えられる。
【００３８】
したがって、不十分なシーリング品質が検出される場合に、溶融によるシーリングのためのステップを再び実施するか、または、ストッパーを捨てるために、光学カメラを使用して、溶融式シーリング手段による孔部のシーリング品質が良いかまたは悪いかを光学的に検証することを可能にする。
【００３９】
本発明の特定の特徴によれば、７３℃を上回る温度における高温充填のケースでは、流体は、４５℃を下回る温度への内容物の冷却の後に、ヘッド・スペースの中へ導入される。
【００４０】
本発明の特定の特徴によれば、流体の導入圧力は、１．０１ｂａｒから２．５ｂａｒの間の残留圧力、好ましくは、１．０１ｂａｒから１．４ｂａｒの間の残留圧力を、コンテナの中に発生させるように構成されている。
【００４１】
本発明の特定の特徴によれば、流体は、とりわけ、ガス状の形態の、窒素などのような不活性の無菌ガスである。
【００４２】
したがって、不活性の無菌ガスは、ボトリングの後に、後の内容物の酸化を引き起こさないことを可能にする。これは、後の酸素消費に起因するつぶれ過ぎを回避する。その理由は、不活性ガスが、初期に閉じ込められていた空気の大部分を交換し、酸素消費が全く存在しないかまたはほとんど存在しないからである。
【００４３】
本発明の特定の特徴によれば、方法は、ストッパーの上方にキャップを係合させるためのステップの前、間、および／または後に、キャップとストッパーとの間に、無菌流体、好ましくは、不活性ガス、より好ましくは、窒素を循環させるためのステップをさらに含む。
【００４４】
したがって、好ましくは、低い圧力における、無菌流体のこの循環は、コンテナの無菌状態を保証するために、バクテリアが外側からキャップとストッパーとの間のスペースに進入することを防止することを可能にする。過大圧力状態が、ストッパーとキャップとの間に生成され、溶融によるシーリングまで、コンテナの内部圧力以上のプラスの圧力を維持する。
【００４５】
本発明の別の特定の特徴によれば、方法は、ストッパーの上方にキャップを係合させるためのステップの前に、時間厳守の加熱、化学的な殺菌、蒸気、パルス光の放射、または別の同様の方法のなかからの１つまたはいくつかによって、ストッパーの外側表面を殺菌するためのステップをさらに含む。
【００４６】
したがって、時間厳守の加熱、または、殺菌用液体を使用する化学的な殺菌は、ストッパーの外側表面の上に存在する病原体の破壊を保証する。
【００４７】
また、本発明は、処理されることとなるコンテナを圧力パッケージングするためのデバイスであって、処理されることとなるコンテナは、内容物によって少なくとも部分的に充填されており、また、コンテナのヘッド・スペースの上方に配置されているストッパーによって緊密な様式で閉栓されており、前記デバイスは、キャップを含み、キャップは、その内側に、穿孔手段、流体注入手段、および、溶融式シーリング手段を含み、前記デバイスは、上記に説明されているような圧力パッケージング方法を実施するように構成されている、デバイスに関する。
【００４８】
本発明の特定の特徴によれば、穿孔手段および溶融式シーリング手段は、キャップの中に配置されており、キャップがストッパーの上方に係合されているときに、ストッパーの材料の中に位置付けされた所定のポイントにおいて、または、ストッパーの材料の上方において、それらのそれぞれの移動軸線が交わるようになっている。当業者は、穿孔手段によって生成される孔部をシーリング手段がシールするように、シーリング手段の形状に基づいて、どのようにキャップの中に軸線を位置決めするかを知ることとなる。
【００４９】
したがって、穿孔手段および溶融式シーリング手段は、互いに対して傾けられており、それらのそれぞれの長手方向の移動軸線が、ストッパーの材料の中の同じポイントにおいて、または、その上方において交わるようになっている。好ましくは、前記ポイントは、ストッパーの上側表面の中央に位置付けされている。
【００５０】
穿孔手段は、キャップがストッパーの上方に係合されている位置において、後退位置と、ストッパーを穿孔するための穿孔位置との間で移動可能である。溶融式シーリング手段は、キャップがストッパーの上方に係合されている位置において、アイドル位置と、ストッパーの中に形成された孔部の溶融によってシールするためのシーリング位置との間で移動可能である。
【００５１】
本発明の特定の特徴によれば、穿孔手段は、線形に移動するように適合されているニードルを含む。
【００５２】
したがって、ニードルは、その穿孔位置において、ストッパーを穿孔するように構成されている。ニードルは、穿孔の間に、決して内容物と接触した状態にならない。
【００５３】
本発明の特定の特徴によれば、ニードルは、中実であり、円錐形状の尖った端部を有している。
【００５４】
したがって、前記ニードルは、ベベル付き先端部を備えた中空の皮下注射ニードルと比較して、より強固であり、それは、前記ニードルが穿孔ステップの間に破損することを防止することを可能にする。
【００５５】
前記ニードルは、材料を引き裂くことなく、材料の変形および押し返しによって、ストッパーのプラスチック材料の中の貫通によって、孔部を保証する。したがって、プラスチック・ストッパー廃棄物は、コンテナの内容物の中へ落下しない。
【００５６】
穿孔孔部の直径は、急速膨張（可能な限り最大の直径）および溶接安全（可能な限り最小の直径）を組み合わせることを可能にしなければならない。非限定的な例として、０．７ｍｍの直径を有するニードルは、良い妥協点になるように思われる。本発明はこの点に限定されず、ニードルの直径は、ストッパーの厚さの０．３倍から０．８倍の間になるように適合されているということが理解される。ストッパーの厚さは、スクリュー・ピッチを持つストッパーのスカートがそこから延在する、ストッパーの平面的な表面の最大厚さとして定義される。
【００５７】
本発明の特定の特徴によれば、ニードルは、加熱手段によって加熱される。したがって、ニードルは、抵抗タイプの加熱エレメントに熱的に接続され得る。
【００５８】
したがって、ニードルを加熱することは、ニードルを殺菌すること、および、ストッパーのプラスチック材料の穿孔を促進させることの両方を可能にする。ニードルは、好ましくは、その殺菌のために９５℃を上回る温度へ、ならびに、穿孔の間のストッパーのプラスチックの溶融の可能性、および、ニードルの上へのプラスチック粒子の接着を回避するために、１３０℃を下回る温度へ加熱され、それは、次いで、将来のサイクルにおける別のコンテナのストッパーの穿孔の間に取り外され得る。
【００５９】
ニードルの温度は、好ましくは、ニードルのホルダーの中に設置されている抵抗／プローブによって、常に維持およびモニタリングされている。
【００６０】
本発明の別の特定の特徴によれば、溶融式シーリング手段は、線形に移動するように適合されている加熱カニューレを含む。
【００６１】
したがって、前記加熱カニューレは、そのシーリング位置においてストッパーの中に形成された孔部を、溶融によってシールするように構成されており、ストッパーのプラスチック材料は、加熱カニューレと接触した状態で溶融する。
【００６２】
加熱カニューレは、好ましくは、凸形形状を有しており、さらにより好ましくは、半球形の形状を有している。したがって、穿孔手段およびシーリング手段のそれぞれの長手方向の移動軸線は交わっており、加熱カニューレがストッパーに触れるときに、加熱カニューレの上の凸形形状の頂点が、ニードルによってストッパーの中に穿孔された孔部に触れるようになっている。
【００６３】
本発明の特定の特徴によれば、流体注入手段は、少なくとも１つの流体入口部を含み、少なくとも１つの流体入口部は、加圧流体を受け入れ、ストッパーの上方に密封して係合されているキャップの中へ加圧流体を注入するように適合されている。
【００６４】
さらに、本発明は、上記に説明されているような少なくとも１つの圧力パッケージング・デバイスを含む、圧力パッケージングするためのマシンであって、前記圧力パッケージング・マシンは、コンテナを適切な位置に維持するための手段をさらに含み、少なくとも１つの圧力パッケージング・デバイスのキャップは、コンテナを適切な位置に維持するための手段に対して、アイドル位置と係合位置との間で垂直方向に移動可能であり、アイドル位置は、コンテナを適切な位置に維持するための手段から所定の距離にあり、係合位置では、キャップが、処理されることとなるコンテナのストッパーの上方に密封して係合されている、マシンに関する。
【００６５】
本発明の主題をより良好に図示するために、非限定的な例示目的の例として、添付の図面を参照して、１つの好適な実施形態を下記に説明することとなる。
【図面の簡単な説明】
【００６６】
【図１】本発明による、処理されることとなるコンテナを圧力パッケージングするためのデバイスの斜視図である。
【図２】非係合位置にある、図１のデバイスの詳細断面図である。
【図３】係合ステップの間の、図２と同様の断面図である。
【図４】穿孔ステップの間の、図２と同様の断面図である。
【図５】流体導入ステップの間の、図２と同様の断面図である。
【図６】シーリング・ステップの間の、図２と同様の断面図である。
【図７】図１のデバイスのニードルの断面図である。
【発明を実施するための形態】
【００６７】
図１は、処理されることとなるコンテナ２を圧力パッケージングするためのデバイス１を示している。
【００６８】
処理されることとなるコンテナ２は（その形状は、本発明によれば、図に示されている形状に限定されない）、内容物によって少なくとも部分的に充填されており、また、コンテナ２のヘッド・スペースの上方に配置されているストッパー３によって緊密な様式で閉栓されている。
【００６９】
本明細書のケースでは、コンテナ２は、高温充填を受け、また、コンテナ２は、ボトルであり、そのボトルは、とりわけ、ＰＥＴ（ポリエチレンテレフタレート）から作製されており、低い坪量を有しており、フルーツ・ジュースなどのような内容物を備えており、病原体を破壊することができる温度まで、すなわち、７３℃を上回る温度、および、目下のケースでは、８５℃の温度まで持って行かれる。
【００７０】
コンテナ２が高温の内容物によって充填されると、コンテナ２は、公知のタイプのストッパー３によって閉栓され、とりわけ、射出成形または圧縮成形されたスクリュー・キャップによって閉栓され、そのスクリュー・キャップは、モノリシックであり、シングル材料から作製され得り、任意の追加的なシーリング・エレメントがない。
【００７１】
緊密性は、コンテナ２のネック部２ａの周辺縁部の材料の上への、ストッパー３の（目下のケースでは、その内側面の）材料の機械的な圧力の下での接触によって取得され、ねじ込みが、前記必要な機械的な圧力を及ぼすことを可能にする。
【００７２】
閉じる間、前記ストッパー３は、ヘッド・スペースが残ることを可能にする。このスペースは、オーバーフローなしに充填することから結果として生じる。その理由は、内容物が、いかなるケースでも、オーバーフローしてはならず、また、閉じる前にネック部２ａのリップ部の上に内容物を発見してはならないからである。その理由は、内容物が、次いで、ストッパー３の下方の進入口であることとなり、コンテナ２が販売に不適切であることとなるからである。
【００７３】
ストッパー３は、圧力を補償するための任意のメカニズムまたは任意の他のアクセサリーがない。ヘッド・スペースの中に取り込まれる空気は、高温であるが、大気圧力になっている。
【００７４】
また、本発明は、一般に使用される、とりわけ、米国において使用される特定のストッパーを適用しており、その特定のストッパーは、シングル材料タイプのストッパーのための内側リップ部とは異なり、ねじ込みの間の圧縮によって、コンテナ２のネック部の表面とストッパー３との間の緊密性だけを保証するために内側膜が使用された状態のデュアル材料タイプのものであるということが留意されるべきである。しかし、そのようなデュアル材料ストッパーに関するこの内側膜は、ニードルを使用して穿孔し、次いで、ストッパーの外側のニードルを除去するケースにおいて、ストッパーの自己シーリングを保証するために必要な性質を有していない。
【００７５】
コンテナ２は、選択された殺菌温度において損傷なしに内容物を受け入れるように適合されているが、真空補償手段がない。
【００７６】
コンテナ２の内側表面のすべてを、殺菌温度に持って行かれた内容物と接触した状態に置くために、コンテナ２は、内容物を充填した直後に動かされる。
【００７７】
次に、コンテナ２およびその内容物は、水をスプレーすることによって、冷却トンネルの中で冷却され、たとえば、そのアッセンブリを室温近くまで持って行く。
【００７８】
コンテナ２が、７５℃を下回る温度に到達するとき、そのコンポーネント材料に起因して、前記コンテナ２は、自分自身の上につぶれる。その理由は、ガスおよび液体の体積が、コンテナ２の内側で３％から５％に低減されるからである。この低減は、冷却の過程にわたって増加する。つぶれる現象は、４５℃以下の温度において、その最大に近付く。
【００７９】
圧力パッケージング・デバイス１は、キャップ４（係合ヘッドとも呼ばれる）を含み、キャップ４は、その内側に、穿孔手段５と、流体注入手段６と、溶融式シーリング手段７とを含む。
【００８０】
圧力パッケージング・デバイス１は、水平方向の下側サポート８と、ノッチ９ａを含む水平方向の上側サポート９と、垂直方向のサポート１０とをさらに含み、コンテナ２は、水平方向の下側サポート８の上に位置決めされており、コンテナ２のネック部２ａが、ノッチ９ａの中に挿入されており、下側サポート８および上側サポート９は、垂直方向のサポート１０に接続されている。
【００８１】
キャップ４は、垂直方向の移動モーター１１によって、アイドル位置と係合位置との間で垂直方向に移動可能であり、アイドル位置は、上側サポート９から所定の距離にあり、係合位置では、キャップ４が、処理されることとなるコンテナ２のストッパー３の上方に密封して係合されている。当然のことながら、本発明は、この点に限定されず、キャップが移動可能であるか（キャップが、キャップの下方に持って来られたコンテナの上方で係合される）、または、キャップが静止しているか（コンテナがキャップの中へ持って行かれる）のいずれかであるということが理解される。
【００８２】
圧力パッケージング・デバイス１は、処理されることとなるコンテナ２を圧力パッケージングするための方法を実施するように構成されており、方法は、以下のステップ、すなわち、ストッパー３の外側表面の上方に密封してキャップ４を係合させるステップと；穿孔手段５をストッパー３に向けて低下させることによって、ストッパー３を通る孔部を穿孔するステップと；ストッパー３の外側に穿孔手段５を上昇させるステップと；流体注入手段６を使用して、ストッパー３を通って配置されている前記孔部によって、コンテナ２のヘッド・スペースの中へ流体を導入するステップであって、コンテナ２のヘッド・スペースの中に、少なくとも大気圧力に等しい残留圧力を取得するようになっている、ステップと；溶融式シーリング手段７をストッパー３に向けて低下させることによって、ストッパー３の材料の溶融によって、ストッパー３の前記孔部をシールするステップと；溶融式シーリング手段７を上昇させるステップと；キャップ４を除去するステップとを含む。方法の異なるステップが、より詳細に図２から図６に説明されることとなる。
【００８３】
本発明による方法は、生産ラインにおいて実施され得り、１つまたはいくつかのステーションが上流または下流にある状態になっており、そのケースでは、搬送デバイスが、本発明による方法を実装する生産ラインのステーションへコンテナを輸送することとなる。
【００８４】
本発明による圧力パッケージング方法は、無菌雰囲気で低温充填するために使用されるコンテナに対して、可能な限り最小の追加重量の材料を有するボトルを使用することによって、とりわけ、高温充填を進めることを可能にし、また、特に、コンテナ自身が低い機械的な強度を有している場合に真空変形を経験し得る、低温充填されるコンテナの中の真空を補償することを可能にする。
【００８５】
そのうえ、ストッパー３の上方でのキャップ４の係合は、密封して行われており、穿孔手段５は、キャップ４とストッパー３との間の圧力を維持しながら、流体注入ステップの前に上昇させられ得り、したがって、穿孔は、ストッパー３のプラスチック材料を押し返すことのみによって、削り屑または廃棄物なしに、「クリーン」であり、流体注入の間の穿孔手段５の除去は、また、衛生状態の改善のために、穿孔手段５の上への内容物の任意の跳ね返りを防止することを可能にし、それは、内容物の表面の乱れを生成させる。
【００８６】
この方法において使用されるストッパー３は、従来のシングル・ピースのストッパーであり、内側膜を備えておらず、したがって、安価である。
【００８７】
したがって、コンテナ２は、少なくとも、バランスされた圧力によって、および、好ましくは、わずかな圧力の下で、内容物を含有しており、コンテナ２の外側の圧力に対する内部の圧力の差が、コンテナ２の任意のつぶれを発生させることを回避するようになっている。
【００８８】
図２は、キャップ４の非係合位置における圧力パッケージング・デバイス１を示している。
【００８９】
コンテナ２は、内容物１２によって部分的に充填されており、内容物のないヘッド・スペース１３が、コンテナ２のネック部２ａに残るようになっており、コンテナ２は、コンテナ２のヘッド・スペース１３の上方に配置されているストッパー３によって、緊密な様式で閉栓されている。
【００９０】
穿孔手段５は、ピストン１４を含み、ニードル１５が、ピストン１４の端部に設けられており、前記ピストン１４は、キャップ４の上に形成されたシリンダー１６の中を線形に移動するように適合されており、ピストン１４のトラベルは、シリンダー１６の上側端部の中に形成されたピストン・チャンバー１７によって限定されている。
【００９１】
したがって、キャップ４がストッパー３の上方に係合されており、ピストン１４がその展開位置にあるときに、ニードル１５は、ストッパー３を穿孔するように構成されている。
【００９２】
溶融式シーリング手段７は、ピストン１８を含み、加熱カニューレ１９が、ピストン１８の端部に設けられており、前記ピストン１８は、キャップ４の上に形成されたシリンダー２０の中を線形に移動するように適合されており、ピストン１８のトラベルは、シリンダー２０の上側端部の中に形成されたピストン・チャンバー２１によって限定されている。
【００９３】
ピストン１４および１８は、電気的にまたは液圧式に作動させられ得る。図に負担をかけ過ぎないようにするために、ピストン１４および１８の電力ワイヤーまたは液圧式作動ワイヤーは図に示されていない。同様に、ニードル１５または加熱カニューレ１９を加熱することを可能にする加熱エレメント、および、それらのそれぞれの電源は、図に負担をかけ過ぎないようにするために示されていない。
【００９４】
したがって、加熱カニューレ１９は、キャップ４がストッパー３の上方に係合され、ピストン１８がその展開位置にあるときに、ニードル１５によってストッパー３の中に形成された孔部を、溶融によってシールするように構成されており、ストッパー３のプラスチック材料は、加熱カニューレ１９と接触した状態で溶融する。
【００９５】
ニードル１５および加熱カニューレ１９は、キャップ４の内側キャビティー２２の中に位置している。
【００９６】
流体注入手段６は、いくつかの流体入口部を含み、流体入口部は、加圧流体を受け入れ、加圧流体をキャップ４の内側キャビティー２２の内側に注入するように適合されており、キャップ４は、最大で５つの流体入口部６を含有するように適合されている。
【００９７】
また、圧力パッケージング方法は、ストッパー３の外側表面の上に存在する病原体の破壊を保証するために、ストッパー２の上方でのキャップ４の係合のためのステップの前に、時間厳守の加熱、殺菌用液体を使用する化学的な殺菌、蒸気、パルス光の放射、または別の同様の方法によって、ストッパー３の外側表面を殺菌するためのステップを含む。
【００９８】
キャップ４の内側キャビティー２２は、事前に行われたストッパー３の無菌状態を維持するための係合の前であっても、依然として、第１の流体入口部６による無菌ガス過大圧力状態の下にある。
【００９９】
流体導入ステップ（膨張ステップとも呼ばれる）のために、２つの他の無菌ガス入口部６が存在している。
【０１００】
最後の２つの流体入口部６は、係合および穿孔の後の殺菌用流体の注入のために使用され得り、また、穿孔の前の殺菌用流体の吸引による急速排出のために使用され得る。
【０１０１】
図３は、係合ステップの間の圧力パッケージング・デバイス１を示している。
【０１０２】
係合ステップの間に、ニードル１５および加熱カニューレ１９のそれぞれのピストン１４および１８は、それらの後退位置（アイドル位置とも呼ばれる）にある。
【０１０３】
キャップ４は、ストッパー４の外側表面の上方で密封して係合されており、ストッパー３の少なくとも一部が、キャップ４の内側キャビティー２２の少なくとも一部の中へ挿入されるようになっている。
【０１０４】
ピストン１４および１８は、キャップ４の中に配置されており、キャップ４がストッパー３の上方に係合されているときに、ストッパー３の材料の中に位置付けされた所定のポイントにおいて、または、ストッパー３の材料のわずかに上方において、それらのそれぞれの移動軸線が交わるようになっており、前記ポイントは、好ましくは、ストッパー３の上側表面の中心に位置付けされているか、または、加熱カニューレ１９の形状に基づいて、わずかに上方の中心を外れた位置に位置付けされている。
【０１０５】
また、圧力パッケージング方法は、ストッパー３の上方でのキャップ４の係合のためのステップの後に、特定の流体入口部６を介して、キャップ４の内側キャビティー２２の中に、無菌流体、好ましくは、窒素などのような不活性ガスを循環させるためのステップを含むことが可能である。したがって、過大圧力状態が、ストッパー３とキャップ４との間に生成され、溶融によるシーリングまで、コンテナ２の内部圧力以上のプラスの圧力を維持する。
【０１０６】
図４は、穿孔ステップの間の圧力パッケージング・デバイス１を示している。
【０１０７】
穿孔ステップの間に、ニードル１５のピストン１４は、その展開位置にあり、ニードル１５が、ストッパー３まで低下させられ、ストッパー３の材料を通る孔部２３を穿孔するようになっている。
【０１０８】
ニードル１５は、穿孔の間に、決して、内容物１２と接触した状態にならない。
【０１０９】
ニードル１５は、材料を引き裂くことなく、材料の変形および押し返しによって、ストッパー３のプラスチック材料の中の貫通によって孔部２３を作製する。
【０１１０】
この穿孔ステップの直後に、ピストン１４のアイドル位置の中へニードル１５を上昇させるためのステップが続く。
【０１１１】
また、圧力パッケージング方法は、キャップ４の中に配置されている光学センサー（図４には示されていない）に接続されている光学カメラまたは光ファイバー・カメラを使用して、ニードル１５を上昇させるステップの後のニードル１５の完全性の検証のためのステップを含むことが可能であり、したがって、穿孔ステップの後にニードル１５が破損しているかまたは破損していないかを光学的に検証することを可能にする。
【０１１２】
キャップからオフボードの光学カメラは、圧力パッケージング方法の終わりにおいて、コンテナ２の充填レベルを検査し、ニードル１５の任意の破損を検出することが可能である。実際に、通常の処理の間に、内容物１２のレベルは、所定のレベルまで下がらなければならず、一方、非穿孔およびしたがって流体の非導入のケースでは、内容物１２のレベルは減少しないこととなる。
【０１１３】
また、近接センサー・システムは、本発明の範囲から逸脱することなく、破損していない無傷のニードル１５の存在を検証する。
【０１１４】
図５は、流体導入ステップの間の圧力パッケージング・デバイス１を示している。
【０１１５】
流体導入ステップの間に、ニードル１５および加熱カニューレ１９のそれぞれのピストン１４および１８は、それらのアイドル位置にある。
【０１１６】
流体２４は、流体入口部６のうちの１つを使用して、キャップ４の内側キャビティー２２の中へ導入され、次いで、ストッパー３を通して配置されている孔部２３を介して、コンテナ２のヘッド・スペース１３の中へ導入され、コンテナ２のヘッド・スペース１３の中に、少なくとも大気圧力に等しい残留圧力を取得するようになっている。
【０１１７】
流体２４は、とりわけ、ガス状の形態の、窒素などのような不活性の無菌ガスであり、それは、ボトリングの後に、後続の内容物１２の酸化を引き起こさないことを可能にする。これは、後の酸素消費に起因するつぶれ過ぎを回避する。その理由は、不活性ガスが、初期に閉じ込められていた空気の大部分を交換し、酸素消費が全く存在しないかまたはほとんど存在しないからである。
【０１１８】
７３℃を上回る温度における高温充填のケースでは、流体２４が、４５℃を下回る温度への内容物１２の冷却の後に、ヘッド・スペース１３の中へ導入される。
【０１１９】
流体２４の導入圧力は、１．０１ｂａｒから２．５ｂａｒの間の残留圧力、好ましくは、１．０１ｂａｒから１．４ｂａｒの間の残留圧力を、コンテナ２の中に発生させるように構成されている。
【０１２０】
流体２４をヘッド・スペース１３の中へ導入するためのステップは、好ましくは、初期フェーズにおいて第１の圧力値で流体２４を導入し、次いで、最終フェーズにおいて第１の圧力値を下回る第２の圧力値で流体２４を導入することを含む。したがって、穿孔の直後に初期加圧フェーズにおいて圧力を大きく増加させること、および、溶融によるシーリングの直前の最終圧力を調節するために、最終フェーズにおいてより低い圧力を有することを可能にする。
【０１２１】
図６は、シーリング・ステップの間の圧力パッケージング・デバイス１を示している。
【０１２２】
シーリング・ステップの間に、加熱カニューレ１９のピストン１８はその展開位置にあり、加熱カニューレ１９が、ニードル１５によってストッパー３の中に形成された孔部２３へ低下させられるようになっている。
【０１２３】
加熱カニューレ１９は、ストッパー３のプラスチック材料の溶融によって、ストッパー３の中に形成された孔部２３を再び閉栓することを可能にし、それは、コンテナ２の中の真空を補償しながら、コンテナ３の最終的なシール緊密性を保証することを可能にする。
【０１２４】
シーリング・ステップは、０秒から５秒の間の期間において実施される。
【０１２５】
また、圧力パッケージング方法は、キャップ４の内側キャビティー２２の中に配置されている光学カメラ（図６には示されていない）を使用して、加熱カニューレ１９による孔部２３のシーリング品質の検証のためのステップを含むことが可能であり、それは、したがって、加熱カニューレ１９による孔部２３のシーリング品質が良いかまたは悪いかを光学的に検証することを可能にする。
【０１２６】
シーリング・ステップの後に、ピストン１８のアイドル位置の中へ加熱カニューレ１９を上昇させるためのステップが続き、次いで、ストッパー３からキャップ４を除去するためのステップが続く。
【０１２７】
本発明による方法は、コンテナ２の中の高温充填を可能にし、コンテナ２は、たとえば、ＰＥＴから作製されており、コンテナの変形を伴う高温充填方法に対して約１５％の坪量の低減を伴っており、それは、生産されるコンテナ２の数の乗算係数に照らして、かなりの材料低減である。
【０１２８】
特定のアーキテクチャーが、壁部に関して検討されなければならないわけではない。任意の技術的なパネルおよび／または複雑な花弁状の底部は、不必要になる。
【０１２９】
コンテナ２の形状は、実際に、はるかに自由で単純であり、リサイクルは、より安価である。その理由は、より少ない材料が使用されているからである。
【０１３０】
大気圧力またはわずかな圧力の下でコンテナ２を設置することは、より良好なスタッキングおよびパレタイジングを可能にする。
【０１３１】
本発明による方法は、全ての充填モードに適用し、さらに、無菌雰囲気の下で低温充填されるコンテナ２の加圧にも適用し、それに関して、酸素の消費によるヘッド・スペース１３の体積の中の減少の可能性を補償することが望まれるだけでなく、機械的な強度を強化するためにわずかな過大圧力状態を生成させることも望まれ、または、本発明による方法は、酸化が変更する可能性のある製品の官能的特性のすべてを保存するために、天然ガスを注入し、ヘッド・スペース１３の中に閉じ込められている空気を交換することにも適用する。
【０１３２】
図７は、圧力パッケージング・デバイス１のニードル１５を示している。
【０１３３】
ニードル１５は、実質的に円筒形状のニードル・ホルダー２５の中へ強制的にフィットさせられており、前記ニードル・ホルダー２５は、ニードル１５の反対側に端部２５ａを含み、それは、ピストン１４の端部の中に強制的にフィットするように構成されている。
【０１３４】
ニードル１５は、円筒形状および中実になっており、円錐形状の尖った端部を有している。したがって、ニードル１５は、先行技術のベベル付き先端部を備えた中空の皮下注射ニードルと比較して、より強固であり、それは、ニードル１５が穿孔ステップの間に破損することを防止することを可能にする。
【０１３５】
ニードル１５は、好ましくは、加熱手段（図７には示されていない）によって加熱され、ニードル１５の加熱は、ニードル１５を殺菌すること、および、ストッパー３のプラスチック材料の穿孔を促進させることの両方を可能にする。ニードル１５は、好ましくは、その殺菌のために９５℃を上回る温度へ、ならびに、穿孔の間のストッパー３のプラスチックの溶融の可能性、および、ニードル１５の上へのプラスチック粒子の接着を回避するために、１３０℃を下回る温度へ加熱され、それは、次いで、別のコンテナ２のストッパー３の穿孔の間に取り外され得る。
【０１３６】
ニードル１５の温度は、好ましくは、ニードル・ホルダー２５の中に設置されている抵抗／プローブによって、常に維持およびモニタリングされている。
【０１３７】
穿孔孔部の直径は、急速膨張（可能な限り最大の直径）および溶接安全（可能な限り最小の直径）を組み合わせることを可能にしなければならない。非限定的な例として、０．７ｍｍの直径を有するニードルは、良い妥協点になるように思われる。当然のことながら、本発明はこの点に限定されず、ニードルの直径は、ストッパーの厚さの０．３倍から０．８倍の間になるように適合されているということが理解される。
【図１】
2019536700.tif 000003
【図２】
2019536700.tif 000004
【図３】
2019536700.tif 000005
【図４】
2019536700.tif 000006
【図５】
2019536700.tif 000007
【図６】
2019536700.tif 000008
【図７】
2019536700.tif 000009
【国際調査報告】
2019536700.tif 000010
2019536700.tif 000011
2019536700.tif 000012
2019536700.tif 000013